(57)【要約】【課題】  光学式ピックアップによって光ディスクに記録されている信号を再生するように構成された光ディスク記録再生装置に適したサーチ制御方法を提供する。【解決手段】  未クローズディスクの最後のセッションの記録開始位置である目標位置へのサーチ動作を行うとき、目標位置から所定量手前の位置を切換位置として設定し、該切換位置へのサーチ動作をウォブル信号から得られる位置情報データに基づいて行い、前記切換位置が検出されたときピット信号から得られる位置情報データに基づくサーチ動作を行う状態に切り換え、ピット信号から得られる位置情報データが検出されない場合、ウォブル信号から得られる位置情報データに基づくサーチ動作によって前記切換位置へのリトライサーチ動作を行う。【選択図】    図１
2006351144.tif 000002
【特許請求の範囲】
【請求項１】
光ディスクに形成されているプリグルーブから得られるウォブル信号に基づいて信号トラックにピットを形成することにより信号を光ディスクに記録するように構成された光ディスク記録再生装置のサーチ制御方法であり、未クローズディスクの最後のセッションの記録開始位置である目標位置へのサーチ動作を行うとき、目標位置から所定量手前の位置を切換位置として設定し、該切換位置へのサーチ動作をウォブル信号から得られる位置情報データに基づいて行い、前記切換位置が検出されたときピット信号から得られる位置情報データに基づくサーチ動作を行う状態に切り換え、ピット信号から得られる位置情報データが検出されない場合、ウォブル信号から得られる位置情報データに基づくサーチ動作によって前記切換位置へのリトライサーチ動作を行うようにしたことを特徴とする光ディスク記録再生装置のサーチ制御方法。
【請求項２】
リトライサーチ動作を行う回数をカウントし、カウント数が所定値に達したとき、エラーとして処理するようにしたことを特徴とする請求項１に記載のサーチ制御方法。
【請求項３】
ピット信号から得られる位置情報データが検出され、且つ目標位置が検出されたとき、光ディスクに記録されている信号の再生動作を行うようにしたことを特徴とする請求項１に記載のサーチ制御方法。
【請求項４】
サーチ動作が行われている間ミューティング回路にて再生信号の出力動作を阻止するようにしたことを特徴とする請求項３に記載のサーチ制御方法。
【発明の詳細な説明】
【技術分野】
【０００１】
本発明は、光ディスク記録再生装置において、目標位置に光学式ピックアップを移動させるサーチ制御方法に関する。
【背景技術】
【０００２】
光学式ピックアップから照射されるレーザー光によって光ディスクに信号を記録することが出来る光ディスク記録再生装置が普及しており、斯かる光ディスク記録再生装置の代表的なものとしてＣＤと呼ばれる光ディスクを使用するものがある。
【０００３】
斯かる光ディスク記録再生装置としてＣＤ−Ｒと呼ばれる追記型の光ディスクを使用するものがあり、斯かる光ディスクには、周知のようにプリグルーブと呼ばれる蛇行した溝が形成されており、斯かる溝から得られるウォブル信号を復調することによって同期信号や光ディスク上の位置を示す位置情報データ(一般にＡＴＩＰと呼ばれている。)を得るように構成されている。
【０００４】
そして、斯かる光ディスク記録再生装置は、前述したウォブル信号から得られる位置情報データを利用して信号の記録開始位置の認識動作を行って信号の記録動作を行うとともに信号の記録位置を認識するように構成されている。そして、信号の記録動作が行われると、光ディスク上にピットが形成されることによって信号を記録することが出来るが、斯かる場合には位置情報データがピットによって記録されることになる。斯かる光ディスク記録再生装置では、信号の記録位置を示す情報データをＴＯＣデータとしてリードイン領域に記録するという動作、即ちクローズ又はファイナライズという信号処理動作を行うようにされている。
【０００５】
斯かるクローズ処理動作は、記録機能を備えていない再生用の光ディスク装置によっても記録された信号の再生動作を行うことが出来るようにするために行われるものであり、信号が記録されるセッションと呼ばれる領域がリードイン及びリードアウトと呼ばれる領域によって閉じられることになる。即ち、再生用の光ディスク装置による信号の記録位置の検出動作は、ウォブル信号から得られる位置情報データではなくピット信号によって記録された位置情報データを検出することによって行われる。
【０００６】
光ディスク記録再生装置において、例えば音楽を光ディスクに記録している場合に途中で記録動作を中断させ、その後に追加の曲を続けて記録動作を行いたい場合があり、斯かる場合には、リードアウト領域を形成させると次の曲の記録動作を行うことが出来ないので、リードアウト領域を形成しないで記録動作を終わらせることになる。斯かる光ディスクは、クローズ処理されていないディスク、即ち未クローズディスクと呼ばれている。
【０００７】
未クローズディスクを使用して最後のセッションに記録されている曲の次に追加の曲を記録させる動作を行う場合には、最後のセッションの記録開始位置に光学式ピックアップを移動させて、最後の曲の再生動作を行い、その曲の再生が終了することによってセッションの最後の位置が認識されたとき次の曲の記録動作を開始させるようにされている。
【０００８】
斯かる未クローズディスクを使用して最後のセッションに続けて追加の曲の記録動作を行う場合には、記録された信号記録動作を開始する位置が不明のため、ピット信号によって記録された位置情報データを利用して記録開始位置のサーチ動作を行うと、信号が記録されていない位置に光学式ピックアップが移動し、位置情報データの検出が行われない場合があり、暴走状態になるという問題がある。
【０００９】
斯かる未クローズディスクを使用する場合に発生する問題を解決する技術が開発されている(例えば、特許文献１参照。)。
【特許文献１】特許第３４６９７８５号
【発明の開示】
【発明が解決しようとする課題】
【００１０】
特許文献１に記載されている技術では、ウォブル信号から得られる位置情報データを利用して目標位置の手前の位置までサーチ動作によって光学式ピックアップの位置を移動させた後ピット信号から得られる位置情報データを利用したサーチ動作を行うように構成されている。
【００１１】
斯かるサーチ動作を行う場合、サーチ動作に使用する位置情報データをウォブル信号からピット信号への切り換えを行うとき、同期信号の切り換えやサーボ系のデコーダを変更する動作が同時に行われる。この変更動作に伴って、光ディスクの回転特性の悪化や傷等によってトラック飛びやフォーカス落ちと呼ばれる現象が発生し、サーチ動作を正常に行えないという問題が発生することがあった。
【００１２】
本発明は、斯かる問題を解決することが出来るサーチ制御方法を提供しようとするものである。
【課題を解決するための手段】
【００１３】
本発明は、未クローズディスクの最後のセッションの記録開始位置である目標位置へのサーチ動作を行うとき、目標位置から所定量手前の位置を切換位置として設定し、該切換位置へのサーチ動作をウォブル信号から得られる位置情報データに基づいて行い、前記切換位置が検出されたときピット信号から得られる位置情報データに基づくサーチ動作を行う状態に切り換え、ピット信号から得られる位置情報データが検出されない場合、ウォブル信号から得られる位置情報データに基づくサーチ動作によって前記切換位置へのリトライサーチ動作を行うように構成されている。
【００１４】
また、本発明は、リトライサーチ動作を行う回数をカウントし、カウント数が設定値に達したとき、エラーとして処理するように構成されている。
【００１５】
そして、本発明は、ピット信号から得られる位置情報データが検出され、且つ目標位置が検出されたとき、光ディスクに記録されている信号の再生動作を行うように構成されている。
【００１６】
また、本発明は、サーチ動作が行われている間ミューティング回路にて再生信号の出力動作を阻止することによって雑音等の発生を抑えている。
【発明の効果】
【００１７】
本発明は、未クローズディスクの最後のセッションの記録開始位置である目標位置へのサーチ動作を行うとき、目標位置から所定量手前の位置を切換位置として設定し、該切換位置へのサーチ動作をウォブル信号から得られる位置情報データに基づいて行い、前記切換位置が検出されたときピット信号から得られる位置情報データに基づくサーチ動作を行う状態に切り換え、ピット信号から得られる位置情報データが検出されない場合、ウォブル信号から得られる位置情報データに基づくサーチ動作によって前記切換位置へのリトライサーチ動作を行うようにしたので、目標位置へのサーチ動作を支障無く行うことが出来る。
【００１８】
また、本発明は、リトライサーチ動作を行う回数をカウントし、カウント数が設定値に達したとき、エラーとして処理するようにしたので、サーチ動作を永久に繰り返すという暴走動作を避けることが出来る。
【００１９】
そして、本発明は、ピット信号から得られる位置情報データが検出され、且つ目標位置が検出されたとき、光ディスクに記録されている信号の再生動作を行うようにしたので、追記動作を行う位置の確認動作を行うことが出来る。従って、本発明によれば、追記動作を開始させる位置からの信号の記録動作を正確に行うことが出来る。
【００２０】
また、本発明は、サーチ動作が行われている間ミューティング回路にて再生信号の出力動作を阻止するようにしたので、雑音の出力動作を簡単な回路によって阻止することが出来る。
【発明を実施するための最良の形態】
【００２１】
本発明は、ウォブル信号から得られる位置情報データとピット信号から得られる位置情報データを利用して未クローズディスクに対するサーチ動作を支障なく行うことが出来るようにしたものである。
【実施例】
【００２２】
図１は本発明のサーチ制御方法を示すフローチャート、図２は本発明に係る光ディスク装置の一実施例を示すブロック回路図である。
【００２３】
図２において、１はスピンドルモーター(図示せず)によって回転駆動される光ディスク、２は光ディスク１にレーザー光を照射させるレーザーダイオード(図示せず)が組み込まれているとともに光ディスク１の信号面より反射されるレーザー光を受ける光検出器３が組み込まれている光学式ピックアップであり、対物レンズ４をトラッキング方向へ偏倚させるトラッキングコイル５及び該対物レンズ４を光ディスク１の信号面方向へ変位させるフォーカシングコイル６が設けられているとともスレッドモーター７の回転動作によって該光学式ピックアップ２の本体が光ディスク１の径方向に変位せしめられるように構成されている。
【００２４】
８は前記光学式ピックアップ２に組み込まれている光検出器３から得られる信号が入力されるフロントエンド処理回路であり、２値化信号、ウォブル信号、トラッキングエラー信号及びフォーカスエラー信号を生成出力するように構成されている。斯かるフロントエンド処理回路による信号処理動作は周知の回路によって行うことが出来るので、その説明は省略する。
【００２５】
９は前記フロントエンド処理回路８から出力されるトラッキングエラー信号及びフォーカスエラー信号が入力されるとともに各信号に基づいて光学式ピックアップ２の制御動作を行う信号を出力するピックアップ制御回路であり、トラッキング制御信号、フォーカス制御信号及びスレッドモーター制御信号を各動作用のサーボ回路によって出力するように構成されている。
【００２６】
１０は前記ピックアップ制御回路９から出力されるトラッキング制御信号が入力されるとともにその信号に応じたトラッキングコイル駆動信号を前記トラッキングコイル５に供給するトラッキングコイル駆動回路、１１は前記ピックアップ制御回路９から出力されるフォーカス制御信号が入力されるとともにその信号に応じたフォーカシングコイル駆動信号を前記フォーカシングコイル６に供給するフォーカシングコイル駆動回路、１２は前記ピックアップ制御回路９から出力されるスレッドモーター制御信号が入力されるとともに
その信号に応じたスレッドモーター駆動信号を前記スレッドモーター７に供給するスレッドモーター駆動回路である。
【００２７】
１３は前記フロントエンド処理回路８から出力される２値化信号、即ちデジタル信号が入力されるデジタル信号処理回路であり、デジタル信号処理動作を行うことによって再生信号、同期信号及び位置情報データの復調動作を行うように構成されている。１４は前記デジタル信号処理回路１３によって復調された信号が音楽等のオーディオ信号である場合に該信号が入力されるオーディオ信号増幅回路であり、増幅した再生信号を出力端子１５に出力するように構成されている。
【００２８】
１６は前記フロントエンド処理回路８から出力されるウォブル信号が入力されるウォブルデコード回路であり、ウォブル信号から同期信号や位置情報データを抽出するように構成されている。１７はフラッシユＲＯＭ等のメモリー素子に記憶されているプログラムソフトに基づいて各種の制御動作を行うシステム制御回路であり、前記デジタル信号処理回路１３及びウォブルデコード回路１６によって復調される信号に基づく制御動作を行うように構成されている。
【００２９】
１８は前記システム制御回路１７によって動作が制御されるミューティング回路であり、動作状態にあるとき、前記オーディオ信号増幅回路１４の出力端子１５に出力される信号をミューティングするように構成されている。１９は前記システム制御回路１７によってカウント動作が制御されるリトライ数カウント回路である。
【００３０】
以上に説明したように本発明に係る光ディスク装置は構成されているが、次に動作について説明する。光ディスク１に記録されている信号の再生動作は、光ディスク１を所望の回転速度にて回転駆動させるとともに信号面にレーザー光を合焦させるフォーカス制御動作及び信号トラックにレーザー光を追従させるトラッキング制御動作が行われた状態にて行われる。
【００３１】
光ディスク１の信号面にレーザー光を合焦させるフォーカス制御動作は、フロントエンド処理回路８から生成されるフォーカスエラー信号に基づく制御信号をピックアップ制御回路９に組み込まれているフォーカスサーボ回路によるサーボ動作によつて生成し、その制御信号に基づくフォーカシングコイル駆動信号をフォーカシングコイル駆動回路１１からフォーカシングコイル６に供給することによって行われる。
【００３２】
また、光ディスク１の信号トラックにレーザー光を追従させるトラッキング制御動作は、フロントエンド処理回路８から生成されるトラッキングエラー信号に基づく制御信号をピックアップ制御回路９に組み込まれているトラッキングサーボ回路によるサーボ動作によつて生成し、その制御信号に基づくトラッキングコイル駆動信号をトラッキングコイル駆動回路１０からトラッキングコイル５に供給することによって行われる。
【００３３】
光ディスク１の信号トラックにレーザー光を追従させるトラッキング制御動作は、トラッキングコイル５にトラッキングコイル駆動信号を供給することによって行われるが、斯かる動作は対物レンズ４を偏倚させることによって行うものであり、該対物レンズ４の偏倚量が所定量に達した場合、即ちそれ以上の偏倚動作を行うことが出来ない状況になるとスレッドモーター７による光学式ピックアップ２本体の移動動作が行われる。
【００３４】
斯かるスレッドモーター７の回転駆動制御動作は、ピックアップ制御回路９から出力されるスレッドモーター制御信号によって行われるが、斯かるスレッドモーター制御信号の生成動作は、トラッキングコイル駆動回路１０からトラッキングコイル５に供給されるトラッキングコイル駆動信号に含まれる直流電圧の大きさ基づいて行われるが、斯かる動作
は周知の回路にて行うことが出来るので、その説明は省略する。
【００３５】
前述したフォーカス制御動作及びトラッキング制御動作を行うことによって光ディスク１に記録されている信号の再生動作が行われるが、斯かる再生動作は、光ディスク１に記録されている信号、即ちピットによって記録されている信号に対して行われる。
【００３６】
光ディスク１に記録されているピットに基づいて読み出される再生信号は、フロントエンド処理回路８からデジタル信号として出力されてデジタル信号処理回路１３に入力される。ピットに基づいて再生される信号の中には同期信号が含まれており、斯かる同期信号は、デジタル信号処理回路１３による復調動作によって抽出されることになる。
【００３７】
このようにして抽出された同期信号を利用して再生信号の復調動作を行うためのクロック信号が生成されるとともにスピンドルモーターの回転制御動作に該同期信号は利用されることになる。即ち、同期信号と基準クロック信号とが同期するようにスピンドルモーターの回転速度を制御することによって光ディスク１を線速度一定にて回転駆動することが出来る。
【００３８】
斯かる状態において、光ディスク１に記録されている信号の読み取り動作が行われ、再生信号がオーディオ信号である場合には、デジタル信号処理回路１３に組み込まれているデジタルアナログコンバータ回路によってアナログ信号に変換されてオーディオ信号増幅回路１４に入力される。また、斯かる再生動作を行っている状態では、ミューティング回路１８は不動作状態にあり、オーディオ信号は、ミューティングされることなく出力端子１５に出力されるので、使用者は光ディスク１に記録されている信号である音楽等のオーディオ信号を聴取することが出来る。
【００３９】
以上に説明したように再生動作は行われるが、次に記録動作について説明する。光学式ピックアップ２におけるトラッキング制御動作、フォーカス制御動作及びスレッドモーター７に対する制御動作は再生動作時と同様に行われる。記録動作を行う場合に使用される光ディスク１に記録されている同期信号の抽出動作及び位置情報データの抽出動作は、ウォブル信号によって行われる。
【００４０】
フロントエンド処理回路８から生成されるウォブル信号は、ウォブルデコード回路１６に入力され、該ウォブルデコード回路１６による復調動作によって同期信号及び位置情報データが抽出される。光ディスク１に信号を記録する場合におけるスピンドルモーターの回転制御動作は、ウォブル信号から抽出される同期信号を利用して行われるとともに記録用のクロック信号も該同期信号に基づいて生成される。
【００４１】
前述したようにウォブル信号から抽出される同期信号に基づいて生成される記録用クロック信号によって記録信号のエンコード処理を行うべく設けられている記録信号エンコード回路(図示せず)に対する信号処理動作を行うとともにレーザー光を照射するレーザーダイオード(図示せず)に供給する記録パルス信号を制御することによって光ディスク１の信号トラック上に信号を記録することが出来る。斯かる場合の光ディスク１への信号の記録動作は、レーザー光によってピットを形成することによって行われる。
【００４２】
以上に説明したように本実施例における信号の再生動作及び信号の記録動作は行われるが、次にサーチ制御方法について説明する。まず、光ディスク１がクローズされているディスクの場合のサーチ動作について説明する。
【００４３】
クローズされている光ディスク１は、リードイン領域及びリードアウト領域が設けられているとともにその間の信号記録領域にセッションとして記録されている曲の数及び各曲
の記録開始位置や記録終了位置を示す位置情報データが周知のようにリードイン領域にＴＯＣ情報として記録されている。
【００４４】
斯かる光ディスク１において、所望の曲が記録されているセッションの記録開始位置へ光学式ピックアップ２を移動させる動作は、対物レンズ４を偏倚させるジャンプ動作とスレッドモーター７による光学式ピックアップ２本体の移動動作とを組み合わせることによって行われる。そして、斯かる場合における目標位置の検出動作は、ピットによって信号が記録されていることが前もって認識されているので、ピット信号から得られる位置情報データを検出することによって行われる。
【００４５】
斯かるサーチのための制御動作は、光学式ピックアップ２の径方向への移動に伴って横切られるトラックの数をカウントすることによって目標位置の手前の位置まで光学式ピックアップ２を移動させた後、対物レンズ４のジャンプ動作によって目標位置の検出動作を行うように構成されているが、斯かる動作は周知であるので、その説明は省略する。
【００４６】
以上に説明したようにクローズディスクを使用した場合のサーチ動作は行われるが、次に本発明の要旨であるサーチ制御方法、即ち未クローズディスクに対するサーチ動作について図１を参照して説明する。
【００４７】
未クローズディスクは、曲の記録動作を行っているときに記録動作を中断させ、その後最後に記録されている曲に続けて新たな曲を記録したい場合のように、使用者がクローズ処理動作を行わない場合に作成されることになる。
【００４８】
未クローズディスクの場合、記録用ディスクのリードイン領域の内周側に設けられているＰＭＡと呼ばれる領域に記録信号の位置を示す情報データが記録されており、この情報データから最後に信号が記録されたセッションの記録位置を認知することが出来る。しかしながら、未クローズディスクの場合には、最後のセッションの終了位置の先にはピットが形成されていないので、ピット信号から得られる位置情報データを利用してサーチ動作を行うことは危険である。
【００４９】
従って、未クローズディスクの場合には、最初のサーチ動作は、ウォブル信号から得られる位置情報データを利用してサーチ動作を行うように構成されている。そして、本発明のサーチ制御方法は、最終のセッションに記録されている信号の再生動作を行い、そのセッションの最終位置まで再生動作を行うことによってセッションの最終位置の検出動作を行った後に記録動作を開始させる場合に利用するものである。
【００５０】
光ディスク１に記録されている最後のセッションの記録開始位置である目標位置へのサーチ動作が開始されると、まずリトライ数カウント回路１９をリセットする動作が行われる(ステップＡ)。リトライ数カウント回路１９のリセット動作が行われると、該リトライ数カウント回路１９のカウント数を１カウント増加させる動作が行われる(ステップＢ)。
【００５１】
リトライ数カウント回路１９のカウント数を１カウント増加させる動作が行われると、そのカウント数が所定数に達したか否かの判定動作が行われる(ステップＣ)。ステップＣにおいて、カウント数が設定数に達していない場合には、ウォブル信号に基づくサーチ動作、即ちウォブル信号から得られる位置情報データを利用するサーチ動作が行われるが、斯かるサーチ動作は、目標位置から所定量、例えば４０フレーム(フレームは、信号記録規格を構成する単位)手前の位置を切換位置として設定し、その切換位置に対して行われる(ステップＤ)。
【００５２】
ウォブル信号から得られる位置情報データを利用するサーチ動作は、対物レンズ４の偏
倚によるジャンプ動作及びスレッドモーター７による光学式ピックアップ２の移動動作によって行われるが、斯かる切換位置をサーチするための動作も光学式ピックアップ２の径方向への移動に伴って横切られるトラックの数をカウントすることによって切換位置の手前の位置まで光学式ピックアップ２を移動させた後、対物レンズ４のジャンプ動作によって行われる。
【００５３】
前述したサーチ動作が行われると、切換位置に達したか否かの判定が行われる(ステップＥ)。ステップＤのサーチ制御動作は、切換位置が検出されるまで行われ、ステップＥにて切換位置に達したと判定されると、ピット信号から得られる位置情報データを利用するサーチ動作によって目標位置へのサーチ動作を行う状態に切り換える動作が行われる(ステップＦ)。
【００５４】
ステップＦにてピット信号から得られる位置情報データを利用するサーチ動作を行う状態に切り換えられると、同期信号の切り換え動作やサーボ系のデコーダを変更する動作が行われるが、このとき光学式ピックアップ２によって再生されるピット信号からサブコード、即ち位置情報データが読めるか否かの判定動作が行われる(ステップＧ)。
【００５５】
ステップＧにてサブコードが読めると判定されると、ピット信号にて記録されている位置情報データの読み取り動作を行うことによって目標位置を検出することが出来る。斯かる動作が行われているとき、目標位置に達したか否かの判定動作が行われる(ステップＨ)。ステップＨにて目標位置に達したことが認識されると、動作状態にあったミューティング回路１８を不動作状態にすることによって光ディスク１の最終セッションに記録されている曲の再生動作が開始される(ステップＩ)。
【００５６】
ステップＧにおいて、サブコードが読めないと判定された場合には、ステップＢに戻って前述した動作を再度行う動作、即ちリトライサーチ動作が行われる。そして、斯かるリトライサーチ動作が行われると、ステップＢの動作によってリトライ数カウント回路１９のカウント数が１ずつ増加することになる。
【００５７】
斯かるリトライサーチ動作が繰り返し行われ、ステップＣの処理動作にてリトライ数カウント回路１９によりカウントされたカウント数が設定数に達したと判定されると、光ディスク１の記録特性や回転特性の影響によって記録動作を行うことが出来ない状況にあると判断し、エラーとして処理する動作が行われる(ステップＪ)。
【００５８】
前述したサーチ制御動作によって最終セッションに記録されている曲の再生動作が行われるので、その曲を最後まで再生することによって最終セッションの最終記録位置を認識することが出来る。従って、その最終位置にて光ディスク記録再生装置を再生状態から記録動作を行う状態に切り換えることによって信号の追記記録動作を未クローズディスクであっても支障無く行うことが出来る。
【図面の簡単な説明】
【００５９】
【図１】本発明のサーチ制御方法を示すフローチャートである。
【図２】本発明に係る光ディスク記録再生装置の一実施例を示すブロック回路図である。
【符号の説明】
【００６０】
１        光ディスク
２        光学式ピックアップ
３        光検出器
４        対物レンズ
５        トラッキングコイル
６        フォーカシングコイル
７        スレッドモーター
８        フロントエンド処理回路
９        ピックアップ制御回路
１３        デジタル信号処理回路
１６        ウォブルデコード回路
１７        システム制御回路
１９        リトライ数カウント回路
【図１】
2006351144.tif 000003
【図２】
2006351144.tif 000004